(57)【要約】【課題】ベールがノイズ源とならず、また、ケージがホスト装置の奥側にある場合等において工具を用いて抜去する際の操作性が高い光トランシーバの提供。【解決手段】光トランシーバは、係合突起を有するアクチュエータと、光レセプタクルに回動可能に枢着され、回動動作によってアクチュエータの係合突起をケージの係合孔から外すベール４０とを備える。ベール４０は、回動可能に支持される脚部４１と、脚部４１の連結部４２と、連結部４２の中央に設けられたフック部４３とを有するＵ字状で、樹脂より成る。フック部４３は、連結部４２の前側端より前方に突き出しているがベール４０の外形からは突出せず、その先端部分が連結部４２の上面４２ａに対し傾斜する。フック部４３に工具を引っ掛けて引いたときに、ベール４０が回動され、光トランシーバはケージとの係止が解除され抜去される。【選択図】図６
2010186024.tif 000002
【特許請求の範囲】
【請求項１】
光コネクタが着脱自在に装着されるレセプタクルと、ホスト装置のケージに形成された係合孔に係止する係合突起を有するアクチュエータと、前記レセプタクルに回動可能に枢着され、回動動作によって前記アクチュエータの係合突起を前記ケージの係合孔の係止から解除するベールと、を備えた光トランシーバであって、
前記ベールは、回動可能に支持される一対の脚部と、該脚部を連結する連結部と、該連結部の中央部に設けられたフック部と、を有するＵ字状で、樹脂成形により形成され、
前記フック部は、前記連結部の回動操作側のエッジより回動操作側に突き出し、前記ベールの外形からは突出しないように形成されると共に、該フック部の先端部分は前記連結部の上面に対して傾斜角度を有し、
前記フック部に取外し器具を引っ掛けて引いたときに、前記ベールが回動されて前記ケージへの係止が解除され、前記ケージから脱抜されることを特徴とする光トランシーバ。
【請求項２】
前記フック部の先端部分の内面側の傾斜角度は、前記連結部の上面に対して６０°〜７０°であることを特徴とする請求項１に記載の光トランシーバ。
【請求項３】
前記フック部の先端部分の上端は、前記連結部の上面から下方に位置していることを特徴とする請求項１または２に記載の光トランシーバ。
【発明の詳細な説明】
【技術分野】
【０００１】
本発明は、光ファイバ通信に用いられ、ホスト装置のケージに挿脱される光トランシーバに関する。
【背景技術】
【０００２】
光トランシーバは、発光素子と受光素子が搭載され、光コネクタを介して光を送受信するもので、複数の電子部品、電子回路及び回路基板が収納される本体部と、光コネクタが着脱可能に装着される光レセプタクルと、を備える。光トランシーバの構造に関して、例えばＳＦＰ（small form factor pluggable）と呼ばれる業界標準に準拠した小型の光トランシーバでは、ホスト装置のケージに対して挿脱自在な構造、すなわちプラガブル構造を採用している。
【０００３】
このプラガブル構造では、光トランシーバを上記ケージに挿入したときに、ホスト装置側に設けた係合孔に、光トランシーバ側が備える部品（例えば、アクチュエータと呼ばれる部品）に設けた係合突起を係止させることで、光トランシーバはホスト装置に固定される。また、この光トランシーバは、ホスト装置側の係合孔と光トランシーバ側の係合突起との係止関係を解除する（ラッチ解除する）ことで、ケージから抜去することが可能となる。
【０００４】
ラッチ解除の方式として、例えば、以下の特許文献１に開示のものがある。すなわち、図１０に示すように、光レセプタクル１０１に回動可能に枢着された板金製のベール１０２と呼ばれる取手を回動操作することで、シーソー運動可能に光レセプタクル１０１に軸支されたアクチュエータ１０３を動かし、当該アクチュエータ１０３の後端に設けられた係合突起（図示せず）を動かしてラッチ解除する方式（ベール回転方式）である。この方式では、ラッチ解除した後にベール１０２を引っ張ることによって、光トランシーバ１００をホスト装置側から抜去することができる。
【先行技術文献】
【特許文献】
【０００５】
【特許文献１】特開２００７−４１４４４号公報
【発明の概要】
【発明が解決しようとする課題】
【０００６】
ホスト装置外に漏洩する静電気ノイズ、装置の美観の問題等から、光トランシーバより一回りだけ大きい開口をホスト装置の金属製筐体に設け、光トランシーバを当該開口より挿入し、ホスト装置の奥側に設けられたケージに挿着し用いる場合がある。
この場合、光トランシーバをケージから抜去するには、上記開口から手が入らないためベールを操作することができないので、ビンセット等の柄が長い工具を使用してベールを操作する必要がある。
【０００７】
なお、図１０のように、ベール１０２の上部に折曲部１０４を設けておき、ピンセットの先端を折曲部１０４に引っ掛けて引っ張ることで、ベール１０２を回動させ光トランシーバ１００をケージから抜去することができる。しかし、ベール１０２は、板金製であると共に電気的に浮いているため、ノイズ源となってしまう。
【０００８】
なお、ベール１０２の折曲部１０４は、ホスト装置の奥側にある光トランシーバ１００の抜去のためにピンセットで引っ掛ける目的で設けられたものではなく、光トランシーバ１００を指で押し込む際に、操作者の指で押込み易くするという目的で設けられたものである。したがって、ピンセットの先端を引っ掛けてベール１０２を回動させる場合、屈曲部１０４には操作性を向上しなければならない課題がある。
【０００９】
本発明は、上述のような実情を鑑み、ホスト装置のケージからの抜去のためにベールを用いる光トランシーバであり、ベールがノイズ源とならず、また、ケージがホスト装置の奥側に設けられている場合等においてピンセット等の工具を用いて抜去するときに、その操作性が高いものを提供することを目的とする。
【課題を解決するための手段】
【００１０】
上記課題を解決するために、本発明の光トランシーバは、光コネクタが着脱自在に装着されるレセプタクルと、ホスト装置のケージに形成された係合孔に係止する係合突起を有するアクチュエータと、レセプタクルに回動可能に枢着され、回動動作によってアクチュエータの係合突起をケージの係合孔の係止から解除するベールと、を備えたものであって、ベールが、回動可能に支持される一対の脚部と、該脚部を連結する連結部と、該連結部の中央部に設けられたフック部と、を有するＵ字状で、樹脂成形により形成され、フック部が、連結部の回動操作側のエッジより回動操作側に突き出し、ベールの外形からは突出しないように形成されると共に、該フック部の先端部分は連結部の上面に対して傾斜角度を有し、フック部に取外し器具を引っ掛けて引いたときに、ベールが回動されてケージへの係止が解除され、前記ケージから抜去されることを特徴とする。
【００１１】
また、フック部の先端部分の内面側の傾斜角度が、連結部の上面に対して６０°〜７０°であることが好ましく、フック部の先端部分の上端が、連結部の上面から下方に位置しているとよい。
【発明の効果】
【００１２】
本発明の光トランシーバによれば、ホスト装置のケージからの抜去のためのベールが樹脂成形により形成されるため、ベールがノイズ源とならない。また、フック部がベールの連結部から回動操作側に突き出しているため、ユーザが当該フック部にピンセット等の工具を引っ掛けやすく、操作性を高めることができる。さらに、フック部は、ベールの外形から突出していないため、ベールを落としたときに、フック部に衝撃が加わり破損するのを避けることができる。
【図面の簡単な説明】
【００１３】
【図１】本発明の光トランシーバを備えたホスト装置を説明する図である。
【図２】本発明の光トランシーバの概略を説明する図である。
【図３】本発明の光トランシーバの概略を説明する図である。
【図４】アクチュエータを説明する図である。
【図５】光レセプタクルを説明する図である。
【図６】ベールを説明する図である。
【図７】本発明の光トランシーバをケージ及びホスト装置から抜去するときの動作について説明する図である。
【図８】本発明の特徴部に関わるベールの好適な寸法について説明する図である。
【図９】本発明の特徴部に関わるベールの好適な寸法について説明する図である。
【図１０】従来の光トランシーバを説明する図である。
【発明を実施するための形態】
【００１４】
図１〜図３を用いて本発明の光トランシーバの概略を説明する。図１は、本発明の光トランシーバが挿着されるホスト装置の内部の様子を示す斜視図であり、図２（Ａ），（Ｂ）はそれぞれ図１の光トランシーバの斜視図、側面図であり、図３は、光トランシーバの正面図である。
本発明の光トランシーバを用いて光通信を行うホスト装置１は、例えば、図１示すように、前面のパネル２に開口３を有し、回路基板４上であって開口３から離れた位置にケージ５が設けられている。開口３は、挿着される光トランシーバの横断面外形より一回り大きく形成されている。
【００１５】
光トランシーバ６を開口３からホスト装置１内のケージ５に挿入していくと、ケージ５の奥部及び光トランシーバ６の後端に設けられた電気コネクタ（図示せず）同士が互いに接続され、ケージ５の底部に設けられた係合孔（後述の図７の５ａ参照）に光トランシーバ６の下部の係合突起３３ａ（図２（Ｂ）参照）が係合する。これによりホスト装置１の回路基板４と光トランシーバ６内の回路基板とが電気的に接続されると共に、ケージ５に光トランシーバ６の挿着が固定される。この光トランシーバ６に光ファイバケーブル付きの光コネクタＣを接続することで、ホスト装置１は光通信可能な状態となる。
【００１６】
光トランシーバ６への光コネクタＣの接続は、光コネクタＣを操作するための柄の長い工具Ｔを用いて行うことができる。この工具Ｔを用いて、光コネクタＣの光トランシーバ６からの取外しや、ケージ５への光トランシーバ６の挿入も行われる。本発明の特徴の１つは、ケージ５に固定された光トランシーバ６のベール４０を、上述の工具Ｔを用いて操作し、ケージ５及びホスト装置１から光トランシーバ６を抜去することを容易にできるようにすることにある。なお、このための構造は、後述する。
【００１７】
上述のようなホスト装置に用いられる光トランシーバ６は、例えば、図２（Ａ）に示すように、光コネクタＣ（図１参照）が挿入される光レセプタクル１０の後部に、断面矩形の長方形体の本体部２０が繋がる形状に形成される。本体部２０内には、発光素子、受光素子等の光部品、光信号の送受信を行うための増幅素子等の電子部品や、電子回路、及び、これらを実装するための回路基板が備えられる。また、本体部２０には、前方に取付けられた光レセプタクル１０を覆うようにして接地フィンガ２０ａが設けられる。接地フィンガ２０ａは光トランシーバ６をホスト装置１のケージ５に挿入した際に、接地電位のケージ５の内面と電気的に接触すると共に、ケージ５に対する放熱経路の一部を形成する。
【００１８】
光レセプタクル１０の内側には、光コネクタＣが着脱自在に装着される一対の開口（後述の図５の１１ａ，１１ｂ参照）が前方に設けられており、図２（Ｂ）に示すように、光レセプタクル１０の外側には、アクチュエータ３０とベール４０が取付けられている。
【００１９】
アクチュエータ３０は、ベール４０に加えられる操作に応じてシーソー運動するもので、ホスト装置１のケージ５（図１参照）の底部に形成された係合孔に挿脱自在に係合する係合突起３３ａを有する。ベール４０は、その回動動作によってアクチュエータ３０の係合突起３３ａをケージ５の係合孔に挿脱させるため、図３に示すように、軸Ｐを中心に回動可能に光レセプタクル１０に枢着されると共に、正面視Ｕ字状に形成され、上部中央にフック部４３を有する。ユーザがこのフック部４３に工具Ｔを引っ掛けて引いたときに、ベール４０が回動されて、アクチュエータ３０がシーソー運動しその係合突起３３ａとケージ５の係合孔との係合が解除され、さらに、工具Ｔを引いたときに、光トランシーバ６はケージ５から抜去される。
【００２０】
続いて、本光トランシーバ６が備えるアクチュエータ３０、光レセプタクル１０及びベール４０について図４〜図６により説明する。
図４は、アクチュエータ３０について説明する図で、図４（Ａ）はアクチュエータ３０を上方から見た様子を示す斜視図、図４（Ｂ）はアクチュエータ３０の側面図である。アクチュエータ３０は、図４（Ａ）に示すように、本体部３１、支点部３２、係合部３３及びバネ部３４を含んで成り、光レセプタクル１０に支持される。
【００２１】
本体部３１は、ベール４０の後述の脚部に設けられた突出部が上側から摺接するカム部３１ａを両側に有し、また、これらカム部３１ａを連結する連結部３１ｂを有する。また、本体部３１には、連結部３１ｂから後方に向かって延び出すバネ部３４が一体的に形成されている。
【００２２】
カム部３１ａのそれぞれの上面には、ベール４０の突出部が接触するカム面３１ｃが形成されており、このカム面３１ｃは、ベール４０の回動運動をアクチュエータ３０のシーソー運動に変換するカム面を構成する。
支点部３２は、アクチュエータ３０のシーソー運動の支点になる軸３２ａを有し、この軸３２ａは、後述の光レセプタクル１０の軸支部に係合される。軸３２ａが上記軸支部内でスムーズに回動することで、アクチュエータ３０は軸３２ａを支点としたシーソー運動を行う。
【００２３】
係合部３３の先端（後方端）には、図４（Ｂ）に示すように、ホスト装置１のケージ５の係合孔に係合する係合突起３３ａが形成されている。光トランシーバ６をケージ５に挿入する際には、係合孔が設けられたケージ５のラッチ片（不図示）を跳ね上げつつ（又は跳ね下げつつ）挿入され、一旦挿入された場合には容易に解除されない構造を係合突起３３ａは提供している。
【００２４】
バネ部３４は、本体部３１の光レセプタクル１０の基準面３１ｄに対して角度をもって形成される。すなわち、バネ部３４は、後側に行くにつれ基準面３１ｄより高い位置に位置するように形成される。このアクチュエータ３０を図５の光レセプタクル１０に取付ける場合、バネ部３４が撓みながら取付けられる。この撓みに反発する応力は、アクチュエータ３０の軸３２ａを支える光レセプタクル１０の軸支部で吸収されるが、軸３２ａとバネ部３４の後端位置がオフセットされているので、その結果、この応力によりアクチュエータ３０の前端側を上に押し上げる力、すなわち、前端側を光レセプタクル１０に押し付ける力となって作用する。
【００２５】
連結部３１ｂから後方に延びるバネ部３４の後端は支点部３２を超え係合部３３にまで達している。上記後端には、上方に向かって延び出す水平断面がＴ字状の突起３４ａが形成されている。このバネ部３４の突起３４ａは、後述するように、光レセプタクル１０の中央隔壁に形成されたポケット部に収まることで、アクチュエータ３０の前後方向の移動を規制する。
【００２６】
また、バネ部３４は光レセプタクル１０に密接して固定されることで、係合突起３３ａとケージの係合孔との係合を解除するようにアクチュエータ３０の残余の部分が軸３２ａを中心にシーソー運動する際に、シーソー運動に抗する弾性力をアクチュエータ３０に与える。このバネ部３４により、アクチュエータ３０の係合突起３３ａはケージの係合孔に向けて付勢されている。したがって、ベール４０を操作してアクチュエータ３０にシーソー運動を行わせても、ベール４０を解放するとアクチュエータ３０はそのバネ部３４の有する弾性力により自動的に元の状態（例えば、ベール４０の突出部がアクチュエータ３０の前端に位置する状態）に戻る。
【００２７】
図５は、光レセプタクル１０について説明する図で、図５（Ａ）及び図５（Ｂ）はそれぞれ光レセプタクル１０を前方／後方から見た様子を示す斜視図である。
光レセプタクル１０は、図５（Ａ）に示すように、前方から順にレセプタクル部１１、搭載部１２、接続部１３を有する。
【００２８】
レセプタクル部１１は、光コネクタＣ（図１参照）を受納する部分であり、前方に送信／受信用の二つの開口（光コネクタ受納部）１１ａ、１１ｂを有し、当該開口に光コネクタＣが挿入される。レセプタクル部１１は、略円柱状のボス１１ｃをその外側面に有する。ベール４０の脚部に形成される挿通孔にボス１１ｃが挿通されて、ベール４０が光レセプタクル１０に枢着される。
また、レセプタクル部１１の下面には、アクチュエータ３０のシーソー運動の回動軸となる軸３２ａを支持する軸支部１１ｄが形成されている。レセプタクル部１１の後方端には、他より張り出た段差部１１ｅが形成されており、当該段差部１１ｅにベール４０の側面が突き当たりベール４０の回動運動を制限している。段差部１１ｅはベール４０に対する回動ストッパの機能を提供している。
【００２９】
また、レセプタクル部１１の中央部上方（図では下方）の前端には、傾斜面１１ｆが形成されている。この傾斜面１１ｆは、レセプタクル部１１に装着された光コネクタＣを取り外すときに、光コネクタＣのラッチレバー（図８のＣ１参照）の動線にレセプタクル部１１が重ならないように設けられている。
【００３０】
搭載部１２は、二つの空間１２ａ，１２ｂを有し、これら空間１２ａ，１２ｂに発光素子、受光素子等の光モジュールが搭載される。空間１２ａ，１２ｂを仕切る中央隔壁１２ｃにはポケット１２ｄが形成されている。このポケット１２ｄには、アクチュエータ３０のバネ部３４の後端に形成されている突起３４ａが係着される。
【００３１】
図６は、ベール４０について説明する図で、ベール４０を前方から見た様子を示している。ベール４０は、アクチュエータ３０の係合突起３３ａとケージの係合孔との係脱操作を駆動するものであり、樹脂成形により形成される。ベール４０は、光トランシーバ６の正面方向への延出部が形成された側面視Ｌ字形の一対の脚部４１を有し、これら脚部４１が連結部４２により連結されており、その連結部４２の前方中央にフック部４３が形成されている。
【００３２】
一対の脚部４１のそれぞれには、光レセプタクル１０のボス１１ｃが挿通される挿通孔４１ａが形成されている。当該挿通孔４１ａに光レセプタクル１０のボス１１ｃが挿通されて、ベール４０が光レセプタクル１０に枢着される、つまり、ベール４０がボス１１ｃを中心とする回動運動できるようになる。
【００３３】
また、一対の脚部４１には、互いに対向するように突出部４１ｂが形成されており、この突出部４１ｂは、アクチュエータ３０のカム面３１ｃと摺接する。上述のように、アクチュエータ３０のカム面３１ｃは、ベール４０の回動運動をアクチュエータ３０のシーソー運動に変換するカム面である。そのため、ベール４０が回動運動するときに、アクチュエータ３０のカム部３１ａとベール４０の突出部４１ｂとの係合によりアクチュエータ３０がシーソー運動し、このシーソー運動により、ケージ５の係合孔にアクチュエータ３０の係合突起３３ａが挿脱される。
【００３４】
脚部４１の後端４１ｃは直線形状を有しており、光レセプタクル１０の段差部１１ｅにその初期位置で突き当たる。ここで初期位置とは、ベール４０の連結部４２が光レセプタクル１０の最上方にある時に相当する。また、脚部４１の底面４１ｄは、ベール４０を最大に回動させた時に光レセプタクル１０の段差部１１ｅに突き当たる。このように、ベール４０の回動運動は光レセプタクル１０の段差部１１ｅに規制される。
【００３５】
フック部４３は、連結部４２の前側のエッジより一旦前方に突き出し、斜め下方に折れ曲がるように形成される。このフック部４３にピンセット等の工具Ｔ（図１参照）の先端を引っ掛けて前方に引っ張りベール４０を回動させ、光トランシーバ６のラッチを解除した後、そのまま工具Ｔでフック部４３を引っ掛けた状態でさらに引っ張ることにより、光トランシーバ６をケージ５及びホスト装置１から抜去することができる。
【００３６】
フック部４３は、連結部４２の中央部分の幅を両端の幅より狭くする等して連結部４２の前側のエッジに設けた凹部に配置することによって、ベール４０の外形から突出しないように形成されている。そのため、ベール４０を落としてもフック部４３には直接その衝撃がかからないので、落下時にフック部４３が破損するのを避けることができる。また、工具Ｔに引っ掛けられるフック部４３の先端部分の内面４３ａは、後述するように、連結部４２の上面４２ａに対して傾斜しており、その傾斜角度は、６０°〜７０°とされている。
【００３７】
次に、図７を用い、図１等を参照して、本光トランシーバをケージ及びホスト装置から抜去するときの動作について説明する。
図７（Ａ）に示すように、光トランシーバ６を抜去する際、光コネクタＣは予め光レセプタクル１０から取り外される。光コネクタＣの取り外し直後の状態では、光トランシーバ６は、アクチュエータ３０のバネ部３４の付勢力により、ベール４０の連結部４２が最上方に位置し、ケージ５の係合孔５ａに係合突起３３ａに納まるようになっている。
【００３８】
この状態から、ユーザがホスト装置１の開口３から工具Ｔを挿入し、上下に摘み部分Ｔ１，Ｔ２が位置するようにして光トランシーバ６の正面からベール４０のフック部４３を引っ掛けにいくと、工具Ｔの下側の摘み部分Ｔ１が光レセプタクル１０の前端の傾斜面１１ｆに当接する。その後、さらに工具Ｔを挿入していくと、摘み部分Ｔ１が、傾斜面１１ｆ上を摺動していき、ベール４０のフック部４３に係合し引っ掛かった状態になる。
【００３９】
そして、ユーザが工具Ｔを引いていくと、図７（Ｂ）に示すように、光トランシーバ６のベール４０が前方側に回動する。ベール４０が前方側に回動すると、図４のアクチュエータ３０のカム面３１ｃ上を図６のベール４０の突出部４１ｂが摺動していき、アクチュエータ３０が図４の軸３２ａを中心にシーソー運動する。そのため、係合突起３３ａが次第に光レセプタクル１０側に引き寄せられ、最終的にケージ５の係合孔５ａから外れた状態となる。
【００４０】
その後、図７（Ｃ）に示すように、ベール４０のフック部４３に引っ掛けた状態でさらに工具Ｔを前方に引いていくと、係合突起３３ａがケージ５の係合孔５ａから外れているので、光トランシーバ６をケージ５から引き出すことができる。そして、さらに工具Ｔを前方に引いていくと、ホスト装置１から光トランシーバ６を抜去することができる。
【００４１】
続いて、図８及び図９を用いて、本発明の特徴部に関わるベール４０の好適な寸法について説明する。図８は、光コネクタが光レセプタクルに装着された光トランシーバの光コネクタ付近の部分拡大斜視図であり、図９は、光トランシーバのベール付近の拡大部分断面図である。
【００４２】
光トランシーバ６は、図８に示すように、光レセプタクル１０に光コネクタＣが装着されて用いられる。光トランシーバ６をケージ５から取り外すときは、上述のように光レセプタクル１０に装着された光コネクタＣを予め取り外す必要があり、この取外しの際に、光コネクタＣのラッチレバーＣ１を、ラッチ解除に必要な距離分（例えば、０.７ｍｍ）以上、工具Ｔで押し下げる必要がある。
【００４３】
そこで、図９に示す光トランシーバのフック部４３の先端部分の上端（上面）４３ｂを、ベール４０の上面４２ａから例えば０.９９ｍｍの位置になるようにして、フック部４３が、前記のラッチ解除の動作と干渉しないように必要な距離を確保している。また、このようにしておくことで、以下の効果がある。すなわち、図１のホスト装置１のケージ５の前方上方にはパネル２から連続する壁（図示省略）があり、当該壁と光トランシーバ６のベール４０の上端との間の隙間は小さいが、上述のようにフック部４３の上面４３ｂの位置がベール４０の連結部４２の上面４２ａから、ここでは０.９９ｍｍ下げられているため、上記隙間に工具Ｔを挿入することができる。
【００４４】
また、ベール４０のフック部４３は工具Ｔで掴みやすいように前方に突出しているが、上述のように、フック部４３は、落下の衝撃等で破損することがないよう、その前端４３ｃが、ベール４０の脚部４１の前端４１ｅよりも前には突出しない形状となっている。具体的には、寸法公差を考慮し、フック部４３の前端４３ｃとベール４０の脚部４１の前端４１ｅとの距離Ｌ１が０.１７ｍｍとなるよう設計される。
【００４５】
光レセプタクル１０の前端の傾斜面１１ｆとベール４０のフック部４３の間へ工具Ｔを挿入する作業性の点のみから言えば、連結部４２の上面４２ａに対するフック部４３の先端部分の内面４３ａの傾斜角度α１を大きくすることが好ましい。しかし、傾斜角度α１が大き過ぎると、フック部４３への工具Ｔの引っ掛かりが悪くなるので、６０°〜７０°とするのが好ましい。
【００４６】
また、光レセプタクル１０の前端の傾斜面１１ｆとベール４０のフック部４３の間へ工具Ｔを挿入する作業性から言えば、フック部４３の先端部分の厚みＬ２を小さくし、連結部４２の上面４２ａとフック部４３の先端部分の内面４３ａとの間の距離Ｌ３を大きくすることが好ましい。しかし、フック部の４３の先端部分の強度を確保するため、その厚みＬ２を少なくとも０.６ｍｍとし、上記距離Ｌ３を１.３２ｍｍとしている。なお、工具Ｔの摘み部分Ｔ１の厚みＷ１は、０.８ｍｍである。さらに、フック部４３自体の強度を確保するため、その根元部分の厚みＬ４を、少なくとも０.８１ｍｍとしている。
また、工具Ｔの摘み部分Ｔ１の長さＷ２は、０.８ｍｍであり、それに合わせて、フック部４３の先端部分の長さＬ４は、０.８ｍｍとなっている。
【００４７】
このようなフック部４３の根元部分の前面４３ｄには、ベール４０が回動するときに、工具Ｔの上側の摘み部分Ｔ２が接触することがある。この接触によりベール４０の回動が妨げられないように、連結部４２の上面４２ａに対するフック部４３の根元部分の前面４３ｄの角度は、９０°ではなく７０°程度となっている。上記フック部４３の根元部分の前面４３ｄの角度を７０°程度としておけば、ベール４０が回動したときに、工具Ｔの上側の摘み部分Ｔ２がフック部４３の根元部分の前面４３ｄ上を摺動していくので、ベール４０の回動運動が妨げられることがない。
なお、ベール４０において、上述のフック部４３が形成された連結部４２は、寸法公差や組み立て精度を考慮し、その下面４２ｂと光レセプタクル１０との距離Ｌ６を０.２６ｍｍとしている。
【００４８】
以上では、ホスト装置の奥側に設けられたケージの例で説明したが、本発明の光トランシーバは、光トランシーバを上下方向に高集積させたホスト装置にも好適に利用される。このように高集積させた場合には、上下の光トランシーバの間隔が狭くユーザの指でベールを掴めないため、ベールを操作するためにピンセット等の工具を用いて操作する必要があるからである。
【符号の説明】
【００４９】
１…ホスト装置、５…ケージ、５ａ…係合孔、６…光トランシーバ、１０…光レセプタクル、１１…レセプタクル部、２０…本体部、３０…アクチュエータ、３１ｃ…カム面、３２ａ…軸、３３ａ…係合突起、３４…バネ部、４０…ベール、４１…脚部、４１ａ…挿通孔、４１ｂ…突出部、４２…連結部、４３…フック部。
【図１】
2010186024.tif 000003
【図２】
2010186024.tif 000004
【図３】
2010186024.tif 000005
【図４】
2010186024.tif 000006
【図５】
2010186024.tif 000007
【図６】
2010186024.tif 000008
【図７】
2010186024.tif 000009
【図８】
2010186024.tif 000010
【図９】
2010186024.tif 000011
【図１０】
2010186024.tif 000012